(57)【要約】  【課題】  対向反転駆動型液晶表示パネルの駆動において、非表示制御期間の駆動動作を停止させた場合、面内フリッカーの不均一を招き、表示品位の劣化を招いていた。  【解決手段】  液晶表示パネル５のタイミング制御信号を供給するコントローラ回路１２１と、液晶表示パネル５を駆動するための液晶駆動電圧を供給する液晶駆動電圧発生回路１３とを備え、非表示制御期間は、（１）フレーム周波数が６０Ｈｚである条件下でフリッカーの３０Ｈｚ成分が−３０ｄＢとなる時間以下、かつ１フレームの信号処理制御を継続的に行うために必要な最小時間以上に設定されており、（２）またはフレーム周波数が６０Ｈｚである条件下でフリッカーの３０Ｈｚ成分が−３０ｄＢとなる時間以下、かつ前記コントローラ回路１２１の源発振周波数に同期した信号の、１フレームの信号処理制御を継続的に行うために必要な最小数の時間以上に設定されている。  【選択図】  図１
2005037685.tif 000002
【特許請求の範囲】
【請求項１】
ソースドライバ及びゲートドライバ及び前記ソースドライバと前記ゲートドライバとの交点に配置された表示画素を有するアクティブマトリックス型液晶表示パネルのタイミング制御信号を供給するコントローラ回路と、
前記液晶表示パネルを駆動するための液晶駆動電圧を供給する液晶駆動電圧発生回路とを備え、
有効表示制御期間と非表示制御期間とからなる１フレーム期間の前記非表示制御期間に前記液晶駆動電圧の一部及び／または前記タイミング制御信号を停止させる機能を有するものであり、
前記非表示制御期間は、（１）フレーム周波数が６０Ｈｚである条件下でフリッカーの３０Ｈｚ成分が−３０ｄＢとなる時間以下、かつ１フレームの信号処理制御を継続的に行うために必要な最小時間以上に設定されており、（２）またはフレーム周波数が６０Ｈｚである条件下でフリッカーの３０Ｈｚ成分が−３０ｄＢとなる時間以下、かつ前記コントローラ回路の源発振周波数に同期した信号の、１フレームの信号処理制御を継続的に行うために必要な最小数の時間以上に設定されている液晶表示パネルの駆動装置。
【請求項２】
前記液晶駆動電圧の一部を停止させるとは、少なくとも前記液晶表示パネルの対向信号電極に供給される対向信号電極電圧の振幅を停止させることである請求項１記載の液晶表示パネルの駆動装置。
【請求項３】
前記有効表示制御期間の１水平走査期間は、前記非表示制御期間の１水平走査期間より長い請求項１記載の液晶表示パネルの駆動装置。
【請求項４】
前記ソースドライバはパワーセーブ制御機能を有し、
前記有効表示制御期間の１水平走査期間のうち、前記液晶表示パネルの液晶表示素子への必要充電期間以外の期間には、前記ソースドライバのパワーセーブ制御機能を有効にする請求項１記載の液晶表示パネルの駆動装置。
【請求項５】
ソースドライバ及びゲートドライバ及び前記ソースドライバと前記ゲートドライバとの交点に配置された表示画素を有するアクティブマトリックス型液晶表示パネルのタイミング制御信号を供給するコントローラ回路と、前記液晶表示パネルを駆動するための液晶駆動電圧を供給する液晶駆動電圧発生回路とを備えた液晶表示パネルの駆動装置を駆動する液晶表示パネルの駆動方法であって、
有効表示制御期間と非表示制御期間とからなる１フレーム期間の前記非表示制御期間に前記液晶駆動電圧の一部及び／または前記タイミング制御信号を停止させ、
前記非表示制御期間を、（１）フレーム周波数が６０Ｈｚである条件下でフリッカーの３０Ｈｚ成分が−３０ｄＢとなる時間以下、かつ１フレームの信号処理制御を継続的に行うために必要な最小時間以上に設定し、（２）またはフレーム周波数が６０Ｈｚである条件下でフリッカーの３０Ｈｚ成分が−３０ｄＢとなる時間以下、かつ前記コントローラ回路の源発振周波数に同期した信号の、１フレームの信号処理制御を継続的に行うために必要な最小数の時間以上に設定する液晶表示パネルの駆動方法。
【発明の詳細な説明】
【技術分野】
【０００１】
本発明はノート型パソコンや携帯情報端末機等に用いられる情報表示用あるいはテレビモニター等の映像表示用としての液晶表示パネルの駆動装置、及び液晶表示パネルの駆動方法に関するものである。
【背景技術】
【０００２】
近年、パソコンや携帯用電話機等の情報端末機や映像表示モニターとして軽薄短小の特徴を持つ液晶表示パネルの搭載機器が増えている。液晶表示パネルの駆動について簡単に述べる。
【０００３】
図４は、この従来のアクティブマトリックス型対向反転駆動方式液晶表示パネルの構成図を示すものである（例えば、特許文献１、及び特許文献２を参照。）。ここで６は表示デ−タ信号に対応した電圧を画素に供給する画像信号電極線（Ｓ1〜Ｓm）であり、７は線順次走査を行うための選択走査信号を供給する走査信号電極線（Ｘ1〜Ｘn）であり、２は走査信号電極線７からの選択走査信号により制御されるスイッチング素子としての薄膜トランジスタ［以後、ＴＦＴと略す］であり、３は画素電極を有する表示材料としての液晶表示素子であり、４は液晶表示素子３に充電された画像電圧の低下を抑制するための蓄積容量であり、８は液晶表示素子３に基準となる電圧を供給するための対向信号電極であり、９は各画像信号電極線６に画像信号電圧を供給するソースドライバであり、１０は各走査信号電極線７に線順次走査を行うための選択走査信号を供給するゲートドライバである。
【０００４】
ソースドライバ９のロジック回路にはタイミング制御を行うためのタイミング制御信号および画像表示信号が入力され、ゲートドライバ１０のロジック回路にも同様にタイミング制御を行うためのタイミング制御信号が入力されている。尚、一つの表示画素は各１個のＴＦＴ２と液晶表示素子３と蓄積容量４からなる破線で囲まれた表示画素１から形成され、多数の表示画素でアクティブマトリックス型の液晶表示パネル５が構成される。
【０００５】
画像信号電極線６および走査信号電極線７はマトリックス状に配置され、これに対してＴＦＴ２のソ−ス端子は画像信号電極線６に、ゲ−ト端子は走査信号電極線７に、ドレイン端子は液晶表示素子３の画素電極および蓄積容量４の一方の電極に接続され、蓄積容量４の他方の電極は対向信号電極８に接続されている。対向信号電極８には対向信号電圧（ＶＣＯＭ）が供給されており、一水平同期期間（１Ｈ）毎に極性反転させた電圧を使用する。
【０００６】
画像表示を行うには、ソースドライバ９より表示デ−タ信号に対応した画像信号電圧を各画像信号電極線６に接続された各ＴＦＴ２のソ−ス端子（Ｓ）に供給するとともに、これと同期してゲートドライバ１０より選択された走査信号電極線７を介して選択走査信号を各ＴＦＴ２のゲ−ト端子（Ｇ）に供給する。これにより、選択された走査信号電極線上の各ＴＦＴ２はー斉にオンし、ドレイン端子（Ｄ）より供給される表示デ−タ信号に対応した画像信号電圧と対向信号電極８に供給されている対向信号電圧（ＶＣＯＭ）との電位差分が最終的な画像情報の画像表示電圧として各液晶表示素子３と各蓄積容量４に蓄積される。この電圧はＴＦＴ２のオフ後もその画像情報は次の情報が書き込まれる１フィールド期間に渡って保持される。液晶表示素子３は、この蓄積電圧量に対応しての液晶分子の捻れ角が変化することにより偏光板で方向性を与えた光の透過量を制御することでコントラストの高い高品位の画像を表示することができる。
【０００７】
一方、液晶表示パネルを駆動するための基本的な表示駆動回路は図５の様なブロック回路構成となる。図５において、５は液晶表示パネルであり、１１は入力電源であり、１２は画像信号処理や駆動タイミングを制御するコントローラ回路であり、１３は液晶パネル５に必要なソースドライバ系，ゲートドライバ系そして対向信号電極系などの各種駆動電圧を発生させる液晶駆動電圧発生回路であり、１４は表示に必要な画像表示信号の送出やコントローラ回路の動作状態を監視するためのＣＰＵ回路である。
【０００８】
液晶表示装置において、特に携帯電話などの携帯情報端末機においては電源として電池駆動となるので低消費電力が最重視される。液晶表示パネルの駆動において多くの低消費電力化方法があるが、その一つに垂直同期期間などの表示期間と直接関係のない非表示期間に液晶表示駆動を停止させるやり方がある。
【０００９】
図６はその例を示したタイミング図である。垂直同期信号（ＶＤ）単位の１フレーム期間を有効表示制御期間（＝有効表示走査ライン期間）（Ｔa1）と非表示制御期間（＝垂直ブランキング期間）（Ｔb1）とした場合、これらの期間に対応した制御信号としてコントローラ回路１２より液晶駆動電圧発生回路１３に非表示制御信号（ＶＳＥＬ）を入力し非表示制御期間（Ｔb1）において表示品位に影響しない駆動電圧やタイミング信号を停止させる。
【００１０】
図６の例では、液晶表示パネル５の駆動電力としては比較的駆動電力比率の大きい対向信号電極系を例に制御させた場合を示してある。この非表示制御信号（ＶＳＥＬ）により対向信号電圧（ＶＣＯＭ）の有効表示制御期間（Ｔa1）は通常の最大電圧がＶＣＯＭＨ，最低電圧がＶＣＯＭＬの電圧振幅からなる１水平走査期間（１Ｈ）単位で極性反転する電圧が供給されている。一方、この非表示制御信号（ＶＳＥＬ））により、非表示制御期間（Ｔb1）は、強制的に対向信号電圧（ＶＣＯＭ）の電圧振幅動作を停止させセンター電圧（(VCOMH+VCOML)/2）の直流電圧にさせる。このことにより、非表示制御期間（Ｔb1）の対向信号電極上の容量負荷に対する充放電電力損失を軽減して低電力化を行うものである。
【００１１】
また、非表示制御信号（ＶＳＥＬ）と同タイミングのゲート選択停止信号（ＯＥＶ）によりゲートドライバ１０からのゲート走査選択信号電圧を停止させることも低電力化に有効である。
【特許文献１】特開平０７−１５９７５７号公報
【特許文献２】特開平０２−２９８８１５号公報
【発明の開示】
【発明が解決しようとする課題】
【００１２】
しかしながら上記のような条件で非表示制御期間（Ｔb1）の駆動電力削減を行った場合、有効表示制御期間（Ｔa1）と非表示制御期間（Ｔb1）との駆動電力差が大きくなるため、軽負荷となる非表示制御期間（Ｔb1）で駆動電圧が上昇する。例えば図６に示すようにＴＦＴ２のオン，オフを制御するゲート走査選択電圧の入力ゲート電圧（ＶＧＳ）では上記の負荷変動により有効表示制御期間（Ｔa1）内で表示開始部は高い電圧になり，表示終了部は低い電圧となるリップル電圧成分（△Ｖrp1）が発生する。このリップル電圧成分（△Ｖrp1）の値は当然の事ながら非表示制御期間（Ｔb1）が長い程、大きいレベルとなる。
【００１３】
今、１フレーム期間の周波数を６０Ｈｚ（約１７ミリ秒）とした時、システムの１水平走査期間（１Ｈ）が６０マイクロ秒で一定とすると、１フレーム期間は約２８０水平走査期間（２８０Ｈ）になる。例えば携帯電話用の代表的な液晶表示パネルの有効表示走査ライン数は１７６本の場合、１０４Ｈ分が非表示制御期間となるので１フレーム期間に対する割合は約３７％になる。当然の事ながら有効表示走査ライン数が少ない液晶表示パネルほど非表示制御期間の割合は大きくなり、前記したリップル電圧成分（△Ｖrp1）も大きくなってしまう。
【００１４】
リップル電圧成分（△Ｖrp1）による入力ゲート電圧（ＶＧＳ）の変化は、ＴＦＴのゲート／ドレイン間の容量，蓄積容量４，及び液晶表示素子３の容量に絡んだ容量結合によって液晶表示素子３の電位を変動させてしまう。そのため、図７のフリーッカ特性で示すようにＶＣＯＭセンター電圧を画面中央を最適フリッカ点として合わせた場合、画面上部が表示のために選択走査された後に画面下部が表示のために選択走査されるので、実質的に画面上部方向ではＶＣＯＭセンター電圧が−側に，画面下部方向ではＶＣＯＭセンター電圧が＋側にずらしたと同じ状態になる。従って液晶表示パネルのフリッカバランスが上下方向にくずれた面内不均一な特性になってしまうという表示品位の課題が生じていた。
【００１５】
すなわち、非表示制御期間に駆動電圧やタイミング信号を停止させると、液晶表示パネルのフリッカバランスがくずれるなど表示品位が低下するという課題がある。
【００１６】
本発明は、上記課題を考慮し、非表示制御期間に駆動電圧やタイミング信号を停止させる制御を行う場合に、表示動作停止に起因した駆動電圧変動量を小さくさせフリッカバランスを向上させた液晶表示パネルの駆動装置、及び液晶表示パネルの駆動方法を提供することを目的とするものである。
【課題を解決するための手段】
【００１７】
上述した課題を解決するために、第１の本発明は、ソースドライバ及びゲートドライバ及び前記ソースドライバと前記ゲートドライバとの交点に配置された表示画素を有するアクティブマトリックス型液晶表示パネルのタイミング制御信号を供給するコントローラ回路と、
前記液晶表示パネルを駆動するための液晶駆動電圧を供給する液晶駆動電圧発生回路とを備え、
有効表示制御期間と非表示制御期間とからなる１フレーム期間の前記非表示制御期間に前記液晶駆動電圧の一部及び／または前記タイミング制御信号を停止させる機能を有するものであり、
前記非表示制御期間は、（１）フレーム周波数が６０Ｈｚである条件下でフリッカーの３０Ｈｚ成分が−３０ｄＢとなる時間以下、かつ１フレームの信号処理制御を継続的に行うために必要な最小時間以上に設定されており、（２）またはフレーム周波数が６０Ｈｚである条件下でフリッカーの３０Ｈｚ成分が−３０ｄＢとなる時間以下、かつ前記コントローラ回路の源発振周波数に同期した信号の、１フレームの信号処理制御を継続的に行うために必要な最小数の時間以上に設定されている液晶表示パネルの駆動装置である。
【００１８】
また、第２の本発明は、前記液晶駆動電圧の一部を停止させるとは、少なくとも前記液晶表示パネルの対向信号電極に供給される対向信号電極電圧の振幅を停止させることである第１の本発明の液晶表示パネルの駆動装置である。
【００１９】
また、第３の本発明は、前記有効表示制御期間の１水平走査期間は、前記非表示制御期間の１水平走査期間より長い第１の本発明の液晶表示パネルの駆動装置である。
【００２０】
また、第４の本発明は、前記ソースドライバはパワーセーブ制御機能を有し、
前記有効表示制御期間の１水平走査期間のうち、前記液晶表示パネルの液晶表示素子への必要充電期間以外の期間には、前記ソースドライバのパワーセーブ制御機能を有効にする第１の本発明の液晶表示パネルの駆動装置である。
【００２１】
また、第５の本発明は、ソースドライバ及びゲートドライバ及び前記ソースドライバと前記ゲートドライバとの交点に配置された表示画素を有するアクティブマトリックス型液晶表示パネルのタイミング制御信号を供給するコントローラ回路と、前記液晶表示パネルを駆動するための液晶駆動電圧を供給する液晶駆動電圧発生回路とを備えた液晶表示パネルの駆動装置を駆動する液晶表示パネルの駆動方法であって、
有効表示制御期間と非表示制御期間とからなる１フレーム期間の前記非表示制御期間に前記液晶駆動電圧の一部及び／または前記タイミング制御信号を停止させ、
前記非表示制御期間を、（１）フレーム周波数が６０Ｈｚである条件下でフリッカーの３０Ｈｚ成分が−３０ｄＢとなる時間以下、かつ１フレームの信号処理制御を継続的に行うために必要な最小時間以上に設定し、（２）またはフレーム周波数が６０Ｈｚである条件下でフリッカーの３０Ｈｚ成分が−３０ｄＢとなる時間以下、かつ前記コントローラ回路の源発振周波数に同期した信号の、１フレームの信号処理制御を継続的に行うために必要な最小数の時間以上に設定する液晶表示パネルの駆動方法である。
【発明の効果】
【００２２】
本発明は、非表示制御期間に駆動電圧やタイミング信号を停止させる制御を行う場合に、表示動作停止に起因した駆動電圧変動量を小さくさせフリッカバランスを向上させた液晶表示パネルの駆動装置、及び液晶表示パネルの駆動方法を提供することが出来る。
【発明を実施するための最良の形態】
【００２３】
以下に、本発明の実施の形態を図面を参照して説明する。
【００２４】
図１に、本実施の形態の液晶パネルの駆動装置を示す。
【００２５】
本実施の形態の液晶パネルの駆動装置と図５で説明した従来の液晶表示パネルの駆動装置との相違点は、次の通りである。すなわち、コントローラ回路１２１から供給されるタイミング制御信号に関して有効表示制御期間と非表示制御期間とで柔軟性をもたせ非表示制御期間を実質的に短期間で制御させたことである。
【００２６】
他の制御信号などについては、図５で説明した従来の液晶表示パネルの駆動装置と同様である。本実施の形態では、従来の技術の液晶表示パネルの駆動装置と同一部分には同一符号を付して詳細な説明を省略する。
【００２７】
図２に本実施の形態の液晶パネルの駆動装置の具体的なタイミング制御を示す。従来の設定に対し、本実施の形態の有効表示制御期間はＴa2＞Ｔa1、非表示制御期間はＴb2＜Ｔb1にする。
【００２８】
すなわち、従来の設定に対して有効表示制御期間をより長くし、非表示制御期間をより短くする。つまり、図２に示す非表示制御期間（Ｔb2）は表示装置のシステムとして表示駆動を行うべき１フレーム信号処理制御を継続的に行うために必要な最小時間もしくはコントローラ回路１２１の源発振周波数に同期した信号の、１フレーム信号処理制御を継続的に行うための最小数に設定する。ここで、１コントローラ回路１２１の源発信周波数に同期した信号の例としては、１水平走査期間を示す水平走査信号がある。
【００２９】
従来例では、１フレーム期間の周波数を６０Ｈｚ（約１７ミリ秒）とし、システムの１水平走査期間（１Ｈ）が６０マイクロ秒で一定としたので、１フレーム期間は約２８０水平走査期間（２８０Ｈ）になる。例えば携帯電話用の代表的な液晶表示パネルの有効表示走査ライン数は１７６本の場合、１０４Ｈ分が非表示制御期間となるので１フレーム期間に対する割合は約３７％になった。
【００３０】
これに対して本実施の形態では、例えば非表示制御期間（Ｔb2）として水平走査信号を最低２０Ｈだけ必要であるならば、１フレーム期間（１Ｆ）は有効表示制御期間（Ｔa2）の１７６Ｈと合わせた１９６Ｈで良いことになる。１水平走査期間（１Ｈ）が全制御期間に渡って同じであれば、非表示制御期間（Ｔb2）の割合は従来の３７％から１０％と約１／４になるのでゲート走査選択電圧（ＶＳＧ）のリップル電圧成分（△Ｖrp2）も約１／４に減少することになる。ただし、この場合、１９６Ｈで１フレーム期間すなわち約１７ミリ秒（１フレーム期間の周波数が６０Ｈｚ）になるように１水平走査期間（１Ｈ）の長さを調整する。従って、１水平走査期間（１Ｈ）の長さは、８５マイクロ秒で一定とする。
【００３１】
あるいは、非表示制御期間（Ｔｂ２）として水平走査信号が最低２０Ｈだけ必要であるならば、非表示制御期間（Ｔｂ２）として２０Ｈの時間とし、有効表示制御期間（Ｔａ２）を１７６Ｈとする。ただし、有効表示制御期間（Ｔａ２）における水平走査期間（１Ｈ）の長さは、非表示制御期間（Ｔｂ２）の水平走査期間（１Ｈ）の長さより長くして、１９６Ｈで１フレーム期間（１Ｆ）になるように調整してもよい。
【００３２】
すなわち、１水平走査期間（１Ｈ）を有効表示制御期間部をＴ1，非表示制御期間部をＴ2としてＴ1＞Ｔ2の関係にすることで非表示制御期間を更に短時間にできるのでリップル電圧成分（△Ｖrp2）も一層低減する。
【００３３】
このように非表示制御期間（Ｔｂ２）を、１フレームの信号処理制御を継続的に行うために必要な最小時間に設定するか、またはコントローラ回路１２１の源発振周波数に同期した信号の、１フレームの信号処理制御を継続的に行うために必要な最小数に設定することによりリップル電圧成分（△Ｖrp2）を大幅に低減することが出来る。
【００３４】
このように、１フレーム期間に対する非表示制御期間の割合を小さくすることで、非表示制御期間での軽負荷に伴う駆動電圧の上昇を小さくしてゲート走査選択電圧（ＶＳＧ）のリップル電圧成分（△Ｖrp２）を抑えることにより、表示画面の面内フリッカーバランスの改善をはかるものである。
【００３５】
なお、本実施の形態では、非表示制御時間（Ｔｂ２）を、１フレームの信号処理制御を継続的に行うために必要な最小時間に設定するか、またはコントローラ回路１２１の源発振周波数に同期した信号の、１フレームの信号処理制御を継続的に行うために必要な最小数に設定するとして説明したが、これに限らない。表示画面の面内フリッカーバランスが改善されていさえすれば、非表示制御時間（Ｔｂ２）は、上記の最小時間より長い時間であってもよい。また、非表示制御時間（Ｔｂ２）が、または上記の最小数よりも多い数であってもよい。
【００３６】
すなわち、非表示制御期間は、フリッカーが生じない所定の時間以下、かつ１フレームの信号処理制御を継続的に行うために必要な最小時間以上に設定するか、またはフリッカーが生じない所定の時間以下、かつコントローラ回路１２１の源発振周波数に同期した信号の、１フレームの信号処理制御を継続的に行うために必要な最小数の時間以上に設定されていさえすればよい。
【００３７】
ここで、「フリッカーが生じない所定の時間以下」について説明する。すなわち、フリッカーが生じないとは、フリッカーが生じない状態のことであり、つまりフリッカーフリー（フリッカーを殆ど感じないレベル）の状態のことをいう。
【００３８】
つまり、ＣＲＴなどの一般的なディスプレイにおいては、フリッカーフリーレベルは視覚の残像特性からフレーム周波数で決まる。通常は６０Ｈｚが最小フレーム周波数と考えられている。
【００３９】
ところで、液晶表示装置などの交流駆動型においてはフレーム毎に正極性／負極性駆動が行われるのでＤＣバランスがとれていればフリッカーは６０Ｈｚ成分のみとなるので、フリッカーフリーレベルは、単にフレーム周波数で規定できることになる。ところが現状はフレーム毎の正極性／負極性駆動のＤＣバランスが微妙にズレており１／２フレーム周波数である３０Hz成分が発生する。３０Hz成分は確実に視覚で分かるので、いかに３０Hz成分を抑えるかが重要である。このフレーム周波数の１／２周波数成分（この場合は３０Hz）の最小化を行うための調整が対向電圧のＤＣセンター電圧調整である。液晶表示装置ではフリッカーフリーレベルの規定をデシベル（ｄＢ）で評価しており、３０Hz成分が概ね−３０〜−３５dB以下（つまり、スペクトルアナライザーでの電圧測定で云えば、フレーム周波数が６０Hz相当時のフリッカーレベルに対してフレーム周波数が３０Hz相当時のフリッカーレベルが１／３２〜１／５６以下）であれば問題ない。当然のことではあるが、フレーム周波数が１２０Hzになると１／２周波数は６０Hzになるので、例えアンバランスな交流駆動であってもフリッカーとしてはフリーになってしまう（但し、アンバラな交流駆動は表示素子にＤＣ成分が発生してしまうので素子の寿命、表示品位、信頼性などの劣化がおこるため、最適バランスフリッカーレベルが最小となるような最適バランスでの駆動が必要である。）。
【００４０】
つまり、フレーム周波数が６０Ｈｚである条件下でフリッカーの３０Ｈｚ成分が−３０ｄＢとなる場合には、フリッカーフリーの状態になる。従って、「フリッカーが生じない所定の時間以下」とは、非表示制御期間が、フレーム周波数が６０Ｈｚである条件下でフリッカーの３０Ｈｚ成分が−３０ｄＢとなる時間以下のことを意味している。
【００４１】
ところで、フレーム周波数を従来と同じ６０Ｈｚとした場合、有効表示制御期間（Ｔa2）が長くなるので１水平走査期間が長くなった分だけソースドライバ９の駆動時間も延びるので電力増加につながる。そのため、ソースドライバ９に出力アンプ回路の能力制御や出力停止制御などのパワーセーブ制御機能を有するものにあっては、図３の（Ａ），（Ｂ）に示すように１走査期間（１Ｈ＝Ｔh＝Ｔ1）内でソースドライバ出力の画像信号電圧（Ｖsd）の必要充電時間（Ｔc）に対し、マージン分の残時間（Ｔps＝Ｔh−Ｔc）をソースドライバ９のパワーセーブ制御機能を有効にするためのパワーセーブ制御信号（ＰＳＳ）の制御期間にすることで、１水平走査期間が長くなってもソースドライバ系の駆動電力増加を抑制することが可能である。
【００４２】
（Ａ）はパワーセーブ制御を１走査期間の後半で行った場合の例を示し、（Ｂ）はパワーセーブ制御を１走査期間の前半で行った場合の例を示したもので、どちらも効果は同じである。
【００４３】
本実施の形態は、非表示制御期間をフリッカーが発生しない時間以下でかつシステムが必要とする最小期間以上にすることにより、表示動作停止に起因した駆動電圧の上昇を抑えフリッカ特性への影響を極力小さくした液晶表示パネルの駆動装置を可能にするものである。
【００４４】
すなわち、本実施の形態の駆動装置により、有効表示制御期間の拡大および非表示制御期間をフリッカーが発生しない時間以下で、かつ駆動装置におけるシステムの信号処理における最小必要制御期間に設定することにより液晶駆動電圧の特にゲート走査選択電圧（ＶＳＧ）のリップル電圧成分（△Ｖrp）を抑えることにより、表示画面の面内フリッカーバランスの改善をはかるものであり、その効果は大なるものである。
【産業上の利用可能性】
【００４５】
本発明にかかる液晶表示パネルの駆動装置、及び液晶表示パネルの駆動方法は、非表示制御期間に駆動電圧やタイミング信号を停止させる制御を行う場合に、表示動作停止に起因した駆動電圧変動量を小さくさせフリッカバランスを向上させる効果を有し、ノート型パソコンや携帯情報端末機等に用いられる情報表示用あるいはテレビモニター等の映像表示用としての液晶表示パネルの駆動装置、及び液晶表示パネルの駆動方法等として有用である。
【図面の簡単な説明】
【００４６】
【図１】本発明の実施の形態における液晶表示パネルの駆動装置における駆動制御系のブロック回路例を示す図
【図２】本発明の実施の形態における液晶表示パネルの駆動に関する主な駆動電圧／制御信号のタイミングチャート図
【図３】本発明の実施の形態における液晶表示パネルの駆動に関するソースドライバ出力系の主な駆動電圧／制御信号のタイミングチャート図
【図４】一般的なアモルファスＴＦＴによるアクティブ型対向反転駆動方式液晶表示パネルの構成例を示す図
【図５】従来のアクティブ型対向反転駆動方式液晶表示パネルの駆動装置における駆動制御系のブロック回路の例を示す図
【図６】図５の液晶表示パネルの駆動装置における主な駆動電圧／制御信号のタイミングチャート図
【図７】対向信号電圧センター電圧レベルに対するフリッカー特性グラフの例を示す図
【符号の説明】
【００４７】
１  表示画素
２  薄膜トランジスタ
３  液晶表示素子
４  蓄積容量
５  液晶表示パネル
６  画像信号電極線
７  走査信号電極線
８  対向信号電極
９  ソースドライバ
１０  ゲートドライバ
１１  入力電源
１２  コントローラ回路
１３  液晶駆動電圧発生回路
１４  ＣＰＵ回路
１２１  コントローラ回路
【図１】
2005037685.tif 000003
【図２】
2005037685.tif 000004
【図３】
2005037685.tif 000005
【図４】
2005037685.tif 000006
【図５】
2005037685.tif 000007
【図６】
2005037685.tif 000008
【図７】
2005037685.tif 000009